(57)【特許請求の範囲】
【請求項１】
吸盤と、この吸盤に取り付けられる収容体とを備え、
前記吸盤は、壁面に吸着する吸着面を裏側に有する吸着部と、この吸着部の表側に突設された先太の取付基部とを有し、
前記収容体の背面には、
前記取付基部が嵌着される嵌着溝と、
この嵌着溝の下方に連設され、前記取付基部が前記嵌着溝に嵌着される際に該取付基部を摺動案内するガイド溝と、
前記嵌着溝よりも上側において該収容体の背面側に向けて延び、シンクの上縁に係止したときの該上縁との接触部分が前記嵌着溝よりも上方に位置するように構成されている突出部とが設けられ、
前記嵌着溝及び前記ガイド溝は、前記収容体の背面に設けられた窪み部分によって構成され、前記窪み部分を囲む壁において前記収容体の背面側寄りの部分には内側に向けて突出する内向き突出部分が形成され、該内向き突出部分と前記窪み部分の背面との間隔は上側ほど狭く、該内向き突出部分の前後方向の厚みは上側ほど大きくなっているシンク用収容具。
【請求項２】
前記ガイド溝の幅が前記嵌着溝から離れるほど大きくなっている請求項１に記載のシンク用収容具。
【請求項３】
前記収容体が、水切り穴が設けられた底部の周縁に側壁部が立設され上方が開放された本体ケースを有し、前記側壁部の左右両側に、上端から下方に向けて延びる欠落部分が設けられている請求項１又は２に記載のシンク用収容具。
【請求項４】
前記本体ケースに着脱自在であるリング体を備え、このリング体は、前記本体ケースの上縁に係止するフランジ部と、このフランジ部の下側に連設され前記本体ケースの上部内側に挿入される筒状部とを有する請求項３に記載のシンク用収容具。
【請求項５】
前記本体ケース内に対して上方から挿抜自在に収容される水切り穴付き容器を備え、この水切り穴付き容器は、水切り穴が設けられた底部と、この底部の周縁に立設され、上方が開放された筒状の側壁部とを有し、前後幅が前記欠落部分の前後幅よりも大きい請求項３に記載のシンク用収容具。
【請求項６】
前記収容体が、側方からの押圧を受けて弾性変形する本体部と、前記弾性変形に伴って前記本体部内の収容対象を吐出する吐出部とを有するディスペンサーである請求項１又は２に記載のシンク用収容具。
【請求項７】
請求項１〜６の何れか一項に記載のシンク用収容具をシンクの壁面に取り付けるためのシンク用収容具の取付方法であって、前記突出部がシンクの上縁に係止するように、前記収容体が取り付けられる前記吸盤を前記シンクの壁面に吸着した状態とするシンク用収容具の取付方法。
【発明の詳細な説明】
【技術分野】
【０００１】
本発明は、例えば、スポンジたわし、柄付きブラシ等の物品の保持や、洗剤、ごみ等の収容に用いることができ、特に流し台のシンク内での使用に好適なシンク用収容具及びその取付方法に関する。
【背景技術】
【０００２】
従来のシンク用収容具として、吸盤の非吸着面側に突設された吸盤基部の周囲に係合溝を形成し、この係合溝にラック（収容体）を係合させて、吸盤を介してラックを壁面に取り付けるように構成されたものがある（例えば特許文献１参照）。
【先行技術文献】
【特許文献】
【０００３】
【特許文献１】特開２００５−１８５５６２号公報
【発明の概要】
【発明が解決しようとする課題】
【０００４】
上記シンク用収容具では、吸盤を一つのみ用いると、その吸盤に対してラックが不意に回転して位置ずれが生じてしまうという問題がある。
【０００５】
この点、特許文献１には二つの吸盤を用いることが記載されており、壁面の異なる位置に吸着した二つの吸盤にラックを係合させれば、その状態のラックは吸盤に対して回転し難くなり、吸盤を二つ用いる分だけ耐荷重量も上がるというメリットが得られる反面、吸盤の数を増やすことは、コストアップを招来すると共に、シンク用収容具の設置スペースのコンパクト化を図り難くなるというデメリットもある。
【０００６】
本発明は上述の実情に鑑みてなされたもので、その目的は、位置ずれが極めて生じ難い上、耐荷重量の増大と製造コストの低減と設置スペースのコンパクト化とを同時に実現することができるシンク内収容具及びその取付方法を提供することにある。
【課題を解決するための手段】
【０００７】
上記目的を達成するために、本発明に係るシンク用収容具は、
吸盤と、この吸盤に取り付けられる収容体とを備え、
前記吸盤は、壁面に吸着する吸着面を裏側に有する吸着部と、この吸着部の表側に突設された先太の取付基部とを有し、
前記収容体の背面には、
前記取付基部が嵌着される嵌着溝と、
この嵌着溝の下方に連設され、前記取付基部が前記嵌着溝に嵌着される際に該取付基部を摺動案内するガイド溝と、
前記嵌着溝よりも上側において該収容体の背面側に向けて延び、シンクの上縁に係止したときの該上縁との接触部分が前記嵌着溝よりも上方に位置するように構成されている突出部とが設けられ、
前記嵌着溝及び前記ガイド溝は、前記収容体の背面に設けられた窪み部分によって構成され、前記窪み部分を囲む壁において前記収容体の背面側寄りの部分には内側に向けて突出する内向き突出部分が形成され、該内向き突出部分と前記窪み部分の背面との間隔は上側ほど狭く、該内向き突出部分の前後方向の厚みは上側ほど大きくなっている（請求項１）。
【０００８】
上記シンク収容具において、前記ガイド溝の幅が前記嵌着溝から離れるほど大きくなっていてもよい（請求項２）。
【０００９】
上記シンク収容具において、前記収容体が、水切り穴が設けられた底部の周縁に側壁部が立設され上方が開放された本体ケースを有し、前記側壁部の左右両側に、上端から下方に向けて延びる欠落部分が設けられていてもよい（請求項３）。
【００１０】
この場合、前記本体ケースに着脱自在であるリング体を備え、このリング体は、前記本体ケースの上縁に係止するフランジ部と、このフランジ部の下側に連設され前記本体ケースの上部内側に挿入される筒状部とを有していてもよい（請求項４）。
【００１１】
また、この場合、前記本体ケース内に対して上方から挿抜自在に収容される水切り穴付き容器を備え、この水切り穴付き容器は、水切り穴が設けられた底部と、この底部の周縁に立設され、上方が開放された筒状の側壁部とを有し、前後幅が前記欠落部分の前後幅よりも大きいとしてもよい（請求項５）。
【００１２】
一方、上記シンク収容具において、前記収容体が、側方からの押圧を受けて弾性変形する本体部と、前記弾性変形に伴って前記本体部内の収容対象を吐出する吐出部とを有するディスペンサーであってもよい（請求項６）。
【００１３】
上記目的を達成するために、本発明に係るシンク用収容具の取付方法は、請求項１〜６の何れか一項に記載のシンク用収容具をシンクの壁面に取り付けるためのシンク用収容具の取付方法であって、前記突出部がシンクの上縁に係止するように、前記収容体が取り付けられる前記吸盤を前記シンクの壁面に吸着した状態とする（請求項７）。
【発明の効果】
【００１４】
請求項１〜７に係る発明では、位置ずれが極めて生じ難い上、耐荷重量の増大と製造コストの低減と設置スペースのコンパクト化とを同時に実現することができるシンク内収容具及びその取付方法が得られる。
【００１５】
すなわち、請求項１〜６に係る発明では、壁面に吸着した吸盤に収容体を取り付けた際に、突出部が壁面の上端に連なる水平部分に係止するようにすれば、この係止によって、収容体が吸盤に対して正面視時計まわり又は反時計まわりに回転し位置ずれが生じることを確実に防止することができる。さらに、収容体に対して掛かる下向きの荷重は、突出部と前記水平部分との接触部分を支点として収容体を回転させる力に変換され、変換された力は吸盤（作用点）を壁面に向けて押し付ける力となって、壁面に対する吸盤の吸着状態を良好に保つように作用するので、収容具の耐荷重量は極めて大きくなる。
【００１６】
また、壁面に吸着した状態の吸盤に対して収容体を取り付ける場合には、吸盤が収容体によって壁面に押し付けられることになり、吸着部と壁面との間に若干の空気が存在していたとしてもその空気は外部に導出されることになるので、これによって吸盤の壁面に対する吸着状態は良好なものになる。
【００１７】
さらに、請求項１〜６に係る収容具は、壁面に沿わせて設置することができる上、吸盤を一つのみ用いて収容体を取り付けることができるので、吸盤を複数用いなければならない場合と比べて製造コストが低減するとともに、設置スペースのコンパクト化をより容易に図ることができ、このことはシンク内の利用可能なスペースの拡大にも寄与する。
【００１８】
請求項２に係る発明では、ガイド溝の幅が嵌着溝から離れるほど狭くなっており、嵌着溝に至るまでの取付基部に対するガイド溝の摺動案内を、ガイド溝の幅が広い部分から開始することにより、嵌着溝に対する取付基部の嵌着操作を極めて容易に行うことができる。
【００１９】
請求項３に係る発明では、収容対象の保持を、水切りをしつつ通気性の良い状態で行うことができる。
【００２０】
請求項４に係る発明では、リング体を本体ケースに装着すると、柄付きブラシ等のある程度の長さを有するツールの収容に向いた状態となり、リング体を本体ケースから取り外すと、たわし等の比較的短いツールの収容に向いた状態となり、従って、収容可能な対象が増やすことができる。
【００２１】
請求項５に係る発明では、水切り穴付き容器内にごみを収容することができ、この場合、本体ケースに保持された状態の水切り穴付き容器内にごみが溜まれば、本体ケース内から水切り穴付き容器を取り出して、上下逆さにして水切り穴付き容器内のごみをごみ袋等に捨てればよく、このように、水切り穴付き容器内に溜まったごみの処理を、壁面に対する吸盤の着脱や吸盤に対する収容体の着脱を一切伴うことなく簡便に行える。
【００２２】
請求項６に係る発明では、本体部を前方から押圧して使用することにより、この前方からの押圧が吸盤を壁面に対して押し付ける力となるので、壁面に対する吸盤の吸着状態が良好に保たれることになる。
【００２３】
請求項７に係る発明では、シンクの上縁に対する突出部の係止によって、収容体が吸盤に対して正面視時計まわり又は反時計まわりに回転し位置ずれが生じることを確実に防止することができる。さらに、収容体に対して掛かる下向きの荷重は、突出部とシンクの上縁との接触部分を支点として収容体を回転させる力に変換され、変換された力は吸盤（作用点）を壁面に向けて押し付ける力となって、壁面に対する吸盤の吸着状態を良好に保つように作用するので、収容具の耐荷重量は極めて大きくなる。
【図面の簡単な説明】
【００２４】
【図１】本発明の第１〜第４の実施の形態に係るシンク用収容具の使用状態を概略的に示す斜視図である。
【図２】本発明の第１の実施の形態に係るシンク用収容具の使用状態を概略的に示す斜視図である。
【図３】第１の実施の形態に係るシンク用収容具の構成を概略的に示す分解斜視図である。
【図４】（Ａ）及び（Ｂ）は第１の実施の形態に係るシンク用収容具の構成を概略的に示す縦断面図及び横断端面図である。
【図５】（Ａ）及び（Ｂ）は第１の実施の形態に係るシンク用収容具の構成を概略的に示す部分透視側面図及び部分透視平面図である。
【図６】（Ａ）〜（Ｇ）は第１の実施の形態に係るシンク用収容具の収容体の構成を概略的に示す背面図、平面図、底面図、正面図、側面図、半縦断正面図及び斜視図、（Ｈ）は（Ａ）のＨ−Ｈ線切断端面図、（Ｉ）は（Ｂ）のＩ−Ｉ線切断断面図である。
【図７】（Ａ）及び（Ｂ）は、本発明の第２の実施の形態に係るシンク用収容具の使用状態を概略的に示す斜視図である。
【図８】第２の実施の形態に係るシンク用収容具の構成を概略的に示す斜視図である。
【図９】第２の実施の形態に係るシンク用収容具の構成を概略的に示す分解斜視図である。
【図１０】（Ａ）及び（Ｂ）は第２の実施の形態に係るシンク用収容具の収容体の構成を概略的に示す正面図及び背面図である。
【図１１】（Ａ）及び（Ｂ）は第２の実施の形態に係るシンク用収容具の収容体の構成を概略的に示す平面図及び底面図である。
【図１２】（Ａ）及び（Ｂ）は第２の実施の形態に係るシンク用収容具の収容体の構成を概略的に示す右側面図及び左側面図である。
【図１３】（Ａ）〜（Ｃ）は第２の実施の形態に係るシンク用収容具の底板の構成を概略的に示す平面図、正面図、底面図、（Ｄ）は（Ａ）のＤ−Ｄ線切断断面図、（Ｅ）は（Ａ）のＥ−Ｅ線切断断面図である。
【図１４】（Ａ）〜（Ｄ）は第２の実施の形態に係るシンク用収容具のリング体の構成を概略的に示す平面図、底面図、斜視図及び側面図、（Ｅ）は（Ａ）のＥ−Ｅ線切断断面図、（Ｆ）は（Ａ）のＦ−Ｆ線切断断面図である。
【図１５】本発明の第３の実施の形態に係るシンク用収容具の水切り穴付き容器の使用状態を概略的に示す斜視図である。
【図１６】第３の実施の形態に係るシンク用収容具の構成を概略的に示す斜視図である。
【図１７】第３の実施の形態に係るシンク用収容具の構成を概略的に示す分解斜視図である。
【図１８】（Ａ）及び（Ｂ）は第３の実施の形態に係るシンク用収容具の収容体の構成を概略的に示す正面図及び背面図である。
【図１９】（Ａ）及び（Ｂ）は第３の実施の形態に係るシンク用収容具の収容体の構成を概略的に示す平面図及び底面図である。
【図２０】（Ａ）及び（Ｂ）は第３の実施の形態に係るシンク用収容具の収容体の構成を概略的に示す右側面図及び左側面図である。
【図２１】（Ａ）〜（Ｆ）は第３の実施の形態に係るシンク用収容具の水切り穴付き容器の構成を概略的に示す斜視図、平面図、半縦断側面図、側面図、正面図、底面図である。
【図２２】本発明の第４の実施の形態に係るシンク用収容具の使用状態を概略的に示す斜視図である。
【図２３】第４の実施の形態に係るシンク用収容具の構成を概略的に示す斜視図である。
【図２４】第４の実施の形態に係るシンク用収容具の構成を概略的に示す分解斜視図である。
【図２５】（Ａ）及び（Ｂ）は第４の実施の形態に係るシンク用収容具の収容体の構成を概略的に示す正面図及び背面図である。
【図２６】（Ａ）及び（Ｂ）は第４の実施の形態に係るシンク用収容具の収容体の構成を概略的に示す平面図及び底面図である。
【図２７】（Ａ）及び（Ｂ）は第４の実施の形態に係るシンク用収容具の収容体の構成を概略的に示す右側面図及び左側面図である。
【図２８】（Ａ）〜（Ｉ）は第４の実施の形態に係るシンク用収容具のボトルの構成を概略的に示す正面側からの斜視図、平面図、横断端面図、背面側からの斜視図、縦断端面図、正面図、背面図、側面図、底面図である。
【図２９】（Ａ）〜（Ｆ）は第４の実施の形態に係るシンク用収容具の溝形成部材の構成を概略的に示す平面図、斜視図、背面図、縦断面図、正面図、底面図である。
【図３０】（Ａ）〜（Ｇ）は第４の実施の形態に係るシンク用収容具のねじ部材の構成を概略的に示す平面図、斜視図、側面図、背面図、縦断端面図、正面図、底面図である。
【図３１】（Ａ）〜（Ｇ）は第４の実施の形態に係るシンク用収容具のキャップの構成を概略的に示す斜視図、平面図、背面図、縦断面図、正面図、側面図、底面図である。
【図３２】（Ａ）〜（Ｆ）は第４の実施の形態に係るシンク用収容具のノズル部材の構成を概略的に示す側面図、背面図、平面図、斜視図、底面図、正面図、（Ｇ）は（Ｂ）のＢ−Ｂ線切断断面図、（Ｈ）は（Ｆ）のＡ−Ａ線切断断面図である。
【発明を実施するための形態】
【００２５】
以下、本発明を実施するための形態について図面を参照しながら説明する。
【００２６】
図１は、本発明の第１〜第４の実施の形態に係るシンク用収容具（以下、「収容具」と略記する）Ｄ１〜Ｄ４が、台所の流し台のシンクに設置された使用状態を示し、まず、第１実施形態に係る収容具Ｄ１について以下に説明する。
【００２７】
収容具Ｄ１は、図１及び図２に示すように、スポンジたわしＳの収容に適した構造をしており、図３〜図５に示すように、吸盤１と、この吸盤１に取り付けられスポンジたわしＳ等を収容可能な収容体２とを備えている。尚、吸盤１及び収容体２は、いずれも左右対称な構造をしている。
【００２８】
吸盤１は、軟質の合成樹脂材料からなり、図３に示すように、シンクの壁面Ｗ（図１、図２参照）に吸着する吸着面を裏側に有する吸着部３と、この吸着部３の表側（非吸着面側）に突設された先太の取付基部４とを有している。尚、図３において、３ａはつまみであり、このつまみ３ａを引っ張ることにより壁面Ｗに吸着した状態の吸盤１を壁面Ｗから簡単に剥がすことができる。
【００２９】
そして、図４（Ａ）及び（Ｂ）並びに図５（Ａ）及び（Ｂ）に示すように、取付基部４は収容体２の背面の嵌着溝５に嵌着されるように構成されている。すなわち、取付基部４は、吸着部３に近い側（付け根側）から順に、小径部分４ａと、大径部分４ｂとを有している。これに対して、収容体２の背面には、図４（Ａ）及び（Ｂ）、図６（Ａ）、（Ｃ）、（Ｈ）、（Ｉ）に示すように、その略中央から下端にかけて窪み部分６が設けられ、この窪み部分６の上部が、吸盤１の取付基部４が嵌着される嵌着溝５となっている。また、窪み部分６の中央部から下部までの部分は、嵌着溝５の下方に連設され、取付基部４が嵌着溝５に嵌着される際に取付基部４を摺動案内するガイド溝７を構成している。
【００３０】
すなわち、窪み部分６は、収容体２の背面の他の部分よりも窪み、縦断面視略逆Ｕ字状のアーチ壁８に囲まれ、このアーチ壁８において収容体２の背面側寄りの部分には、図４（Ａ）及び（Ｂ）、図６（Ｃ）、（Ｈ）、（Ｉ）に示すように、内側に向けて突出する内向き突出部分９が形成されている。ここで、ガイド溝７の左右の幅は嵌着部５から離れるほど（下側ほど）大きくなっている。また、図６（Ｉ）に示すように、本例では、内向き突出部分９は窪み部分６の下部には設けられていない。
【００３１】
そして、吸盤１に対して収容体２を取り付けるには、吸盤１の取付基部４をガイド溝７（窪み部分６）の下部に当接させた状態としつつ収容体２の上方に向かうように摺動させればよく、この摺動の際にガイド溝７に案内される取付基部４はやがて嵌着溝５に嵌着されることになり、これにより、吸盤１に対する収容体２の取付けが完了する。
【００３２】
ここで、壁面Ｗに吸着した状態の吸盤１に対して収容体２を取り付ける場合には、吸盤１が収容体２によって壁面Ｗに押し付けられることになり、吸着部３と壁面Ｗとの間に若干の空気が存在していたとしてもその空気は外部に導出されることになるので、これによって吸盤１の壁面Ｗに対する吸着状態は良好なものになる。
【００３３】
ところで、図６（Ｉ）に示すように、内向き突出部分９の前後方向の厚みは上側ほど大きくなるように構成されており、これに伴って、内向き突出部分９と窪み部分６の背面との間隔ｄは上側ほど狭くなっている。従って、嵌着溝５に至るまでの取付基部４に対するガイド溝７の摺動案内は、間隔ｄが広い範囲で行われるため支障無く行われ、嵌着溝５に対する取付基部４の嵌着は間隔ｄが狭くなっている部分で行われるため、内向き突出部分９と窪み部分６の背面とによって大径部分４ｂがしっかり挟持され、取付基部４が嵌着溝５から抜けることが無く、上記嵌着は良好に保持されることになる。そして、この効果は、間隔ｄが上側ほど狭くなっていることに加えて、ガイド溝７の左右幅が上側ほど狭くなっていることによって、一層高められることになる。
【００３４】
一方、収容体２の左右方向及び前後方向の幅は、図６（Ａ）、（Ｄ）、（Ｅ）に示すように下側ほど小さくなっており、収容体２の背面の上端には、背面側に向けて延びる突出部１０が設けられている。この突出部１０は、図１及び図２に示すように、壁面Ｗに吸着した吸盤１に収容体２を取り付けた際に、シンクの上縁に係止するように構成され、この係止によって、収容体２が吸盤１に対して正面視時計まわり又は反時計まわりに回転し位置ずれが生じることを確実に防止することができる。さらに、収容体２に対して掛かる下向きの荷重は、突出部１０とシンクの上縁との接触部分を支点として収容体２を回転させる力に変換され、変換された力は吸盤１（作用点）を壁面Ｗに向けて押し付ける力となって、壁面Ｗに対する吸盤１の吸着状態を良好に保つように作用するので、収容具Ｄ１の耐荷重量は極めて大きくなる。
【００３５】
また、収容体２は、スポンジたわしＳの保持を、水切りをしつつ通気性（風通し）良く行えるように構成されている。すなわち、図６（Ａ）〜（Ｉ）に示すように、収容体２は、水切り穴１１が設けられた底部１２の周縁に側壁部１３が立設され上方が開放されたケースからなり、側壁部１３の左右両側に、上端から下方に向けて延びる欠落部分１４が設けられている。
【００３６】
ここで、収容体２の材料は、オレフィン系樹脂やスチレン系樹脂等の合成樹脂に防汚剤を混合添加して撥水性、防汚性、滑り性、耐磨耗性等の付与、向上を図れるようにしたものである。
【００３７】
上記のように構成された収容具Ｄ１は、上述した効果に加えて以下の効果を奏する。
【００３８】
すなわち、収容具Ｄ１では、収容体２に水切り穴１１を設けてあるとともに、上記材料によって収容体２の表面の水流れが良くなっているため、収容体２に収容したスポンジたわしＳの水切りを好適に行える。また、収容体２は、水切り穴１１に加えて欠落部分１４を有し、風通しの良い構造をも備えているのに加え、上記材料の性質によって汚れが表面に付着して広がり難くなっているため、収容体２に収容したスポンジたわしＳを非常に清潔な状態に保つことができる。
【００３９】
さらに、収容具Ｄ１は、壁面Ｗに沿わせて設置される上、吸盤１を一つのみ用いて収容体２を取り付けることができるので、吸盤１を複数用いなければならない場合と比べて製造コストが低減するとともに、設置スペースのコンパクト化をより容易に図ることができ、このことはシンク内の利用可能なスペースの拡大にも寄与する。
【００４０】
加えて、収容具Ｄ１は合成樹脂等からなる軽量化を図るのに好適な構造を備えていると共に、収容具Ｄ１の吸盤１は公知の製造方法によって簡単に得られる上、収容体２も射出成形等の簡単な製造方法で得られるので、特許文献１に示されているような金属フレームどうしを溶接で固着して得られる収容具と比べて、軽量性や量産性（生産性）の点でも優れ、特に軽量性の点での優位性は耐荷重量の増大にも繋がる。
【００４１】
次に、第２実施形態に係る収容具Ｄ２について説明する。
【００４２】
収容具Ｄ２は、図１並びに図７（Ａ）及び（Ｂ）に示すように、柄付きブラシＢやたわしＴ等のツールの収容に適した構造をしており、図８及び図９に示すように、前出の吸盤１と、この吸盤１に取り付けられ柄付きブラシＢやたわしＴ等を収容可能な収容体２０とを備えている。尚、収容体２０は左右対称な構造をしている。
【００４３】
ここで、収容体２０は、収容具Ｄ１の収容体２と同一構成の本体ケース２１に対して、本体ケース２１の底部に装着される底板２２と、本体ケース２１の上部に着脱自在であるリング体２３とを設けたものである。そして、本体ケース２１についての説明は、上述した収容体２０についての説明と同一であるため、以下では省略する。同様に、吸盤１についての説明も省略する。
【００４４】
底板２２は、本体ケース２１内に収容した柄付きブラシＢやたわしＴ等のツールが水切り穴１１から抜け落ちないようにするためのものであり、本体ケース２１の底部１２に対してその上側から水切り穴１１を覆うように載置される。そして、このように載置された状態の底板２２は、図１１（Ａ）に示すように、底部１２を取り囲む側壁１３の下部に周縁が当接し、安定した状態で保持される。また、底板２２は、図１３（Ａ）〜（Ｅ）に示す構造を有し、複数（本例では計７本）設けられた長孔２２ａが水切り穴として機能する（図１１（Ａ）及び（Ｂ）参照）。
【００４５】
一方、リング体２３は、本体ケース２１内に収容した柄付きブラシＢ等のある程度の長さを有するツールが左右の欠落部分１４から外側に傾いて倒れないようにするためのものであり、図７（Ａ）、図１４（Ａ）〜（Ｆ）に示すように、本体ケース２１の上縁に係止するフランジ部２４と、このフランジ部２４の下側に連設され本体ケース２１の上部内側に挿入される筒状部２５とを有する。そして、このリング体２３を本体ケース２１に装着した状態では、図７（Ａ）、図８、図１０（Ａ）及び（Ｂ）、図１２（Ａ）及び（Ｂ）に示す状態となり、本体ケース２１内に収容された柄付きブラシＢ等のある程度の長さを有するツールは、傾いた際に必ずリング体２３に当接するので、左右の欠落部分１４から外側に傾いて倒れることはない。
【００４６】
尚、底板２２及びリング体２３は、本体ケース２１、すなわち収容体２と同じ材料からなる。
【００４７】
そして、上記のように構成された収容具Ｄ２は、リング体２３を本体ケース２１に装着すると、図７（Ａ）に示すように柄付きブラシＢ等のある程度の長さを有するツールの収容に向いた状態となり、リング体２３を本体ケース２１から取り外すと、図７（Ｂ）に示すようにたわしＴ等の比較的短いツールの収容に向いた状態となる。
【００４８】
次に、第３実施形態に係る収容具Ｄ３について説明する。
【００４９】
収容具Ｄ３は、図１に示すようにシンクに設置された状態においてごみの収容に適した構造を有しており、図１６及び図１７に示すように、前出の吸盤１と、この吸盤１に取り付けられごみを収容可能な収容体３０とを備えている。尚、収容体３０は前後に対称な構造をしている。
【００５０】
ここで、収容体３０は、前出の本体ケース２１内に対して上方から挿抜自在に収容される水切り穴付き容器３１を設けたものである。そして、吸盤１及び本体ケース２１についての説明は、既述の通りであり繰り返しになるので以下では省略する。
【００５１】
水切り穴付き容器３１は、水切りをしつつ内部にごみを収容することができるように構成されている。すなわち、図２１（Ａ）〜（Ｆ）に示すように、水切り穴付き容器３１は、複数（本例では五つ）の長孔状の水切り穴３２ａが設けられた底部３２の周縁に上方が開放された筒状の側壁部３３が立設された形状を呈する。
【００５２】
そして、水切り穴付き容器３１は、本体ケース２１の底部１２に対してその上側から水切り穴１１を覆うように載置され、このように載置された状態の水切り穴付き容器３１は、大きくがたつくことなく安定した状態で保持される。これは、図１７、図２１（Ａ）〜（Ｆ）に示すように、水切り穴付き容器３１の側壁部３３の前後両面の上部にそれぞれ複数（本例では二つ）の小さい突起部３３ａが設けられ、側壁部３３の前後両面の中央部から下部にかけてそれぞれ複数（本例では二つ）のリブ３３ｂが設けられており、突起部３３ａ及びリブ３３ｂが本体ケース２１の側壁１３の内面に当接するように構成されているためである。
【００５３】
ここで、例えば、水切り穴付き容器３１の側壁部３３の外面全体が本体ケース２１の側壁１３の内面に当接するようにしても、水切り穴付き容器３１のがたつきを無くすことができるが、この場合、本体ケース２１と水切り穴付き容器３１との嵌合が強くなり過ぎて、本体ケース２１に対する水切り穴付き容器３１の挿抜操作（特に本体ケース２１からの引き抜き操作）に大きな力が必要となって不具合を生じる恐れがある。しかし、本例では、側壁部３３の外面において突起部３３ａ及びリブ３３ｂのみが本体ケース２１の側壁１３の内面に当接するようにしてあるので、上記のような不具合は極めて生じ難い。
【００５４】
また、水切り穴付き容器３１の左右方向及び前後方向の幅は、図２１（Ｄ）、（Ｅ）に示すように下側ほど小さくなっており、さらに、水切り穴付き容器３１の前後幅は、図１６、図１９（Ａ）及び（Ｂ）、図２０（Ａ）及び（Ｂ）に示すように、本体ケース２１の欠落部分１４の前後幅よりも大きく、従って、本体ケース２１内の水切り穴付き容器３１が欠落部分１４から横側に抜け落ちてしまうことはない。
【００５５】
ここで、図１６〜図１８、図１９（Ａ）、図２０（Ｂ）、図２１（Ａ）、（Ｂ）、（Ｅ）に示すように、側壁部３３の上端の左右両縁の何れか一方に、側方に向けて延びる把手部分３４が設けられている。そのため、本体ケース２１内に収容された水切り穴付き容器３１は、図１６、図１８（Ａ）及び（Ｂ）、図１９（Ａ）及び（Ｂ）に示すように、本体ケース２１の側方に突出した掴みやすい状態となっている把手部分３４を掴んで持ち上げることにより、本体ケース２１内から容易に取り出すことができる。
【００５６】
そして、本体ケース２１に保持された状態の水切り穴付き容器３１内にごみが溜まれば、本体ケース２１内から水切り穴付き容器３１を取り出して、図１５に示すように、上下逆さにして水切り穴付き容器３１内のごみをごみ袋Ｇ等に捨てればよく、このように、水切り穴付き容器３１内に溜まったごみの処理を、壁面Ｗに対する吸盤１の着脱や吸盤１に対する収容体３０の着脱を一切伴うことなく簡便に行える。
【００５７】
尚、水切り穴付き容器３１は、本体ケース２１と同じ材料からなる。
【００５８】
次に、第４実施形態に係る収容具Ｄ４について説明する。
【００５９】
収容具Ｄ４は、図１及び図２２に示すようにディスペンサーとして構成されており、図２３及び図２４に示すように、前出の吸盤１と、この吸盤１に取り付けられ液状の洗剤等を収容可能な収容体４０とを備えている。尚、吸盤１についての説明は、既述の通りであり繰り返しになるので以下では省略する。
【００６０】
収容体４０は、図２４に示すように本体部としてのボトル４１を備え、このボトル４１には溝形成部材４２が装着され、これによって、ボトル４１の背面に嵌着溝５及びガイド溝７が形成される。
【００６１】
すなわち、ボトル４１は、図２８（Ａ）〜（Ｉ）に示す構造を有し、全体が可撓性を有するように構成されていると共に、ボトル４１の背面には、その上端から下部にかけて窪み部分４３が設けられ、ボトル４１の上面には口部４４が設けられている。
【００６２】
これに対して、溝形成部材４２は、図２９（Ａ）〜（Ｆ）に示す構造を有し、ボトル４１の口部４４に係止するネックリング４５と、このネックリング４５から垂下する略逆Ｕ字状の垂下部４６とを備えている。
【００６３】
そして、ネックリング４５を口部４４に係止して溝形成部材４２をボトル４１に装着すると、図２５（Ｂ）に示すように、垂下部４６が窪み部分４３内に収まり、垂下部４６と窪み部分４３とによって嵌着溝５及びガイド溝７が形成される。つまり、垂下部４６の内側の略逆Ｕ字状の縁が前記内向き突出部分９となる。
【００６４】
従って、吸盤１に対して収容体４０を取り付けるには、吸盤１の取付基部４をガイド溝７（窪み部分４３）の下部に当接させた状態としつつ収容体４０の上方に向かうように摺動させればよく、この摺動の際にガイド溝７に案内される取付基部４はやがて嵌着溝５に嵌着されることになり、これにより、吸盤１に対する収容体２の取付けが完了する。
【００６５】
ここで、ボトル４１は全体が可撓性を有するように構成されているので、吸盤１の取付基部４０をボトル４１の窪み部分４３に押し付けるとこの窪み部分４３が若干撓み、これにより、窪み部分４３と溝形成部材４２の垂下部４６との間の隙間が若干大きくなって、取付基部４をガイド溝７の案内により嵌着溝５まで移動させる摺動が行い易くなる。また、取付基部４が嵌着溝５に至った後、収容具Ｄ４から手を放すと、撓んでいた窪み部分４３が元の形状に戻り、これにより、窪み部分４３と溝形成部材４２の垂下部４６との間の隙間が小さくなる。従って、内向き突出部分９（垂下部４６の内縁）と窪み部分４３の背面とによって大径部分４ｂがしっかり挟持されて、取付基部４が嵌着溝５から抜けることは無く、嵌着溝５に対する取付基部４の嵌着は良好に保持されることになる。
【００６６】
一方、収容体４０は、口部４４からボトル４１内に挿入される管４７を備え、この管４７の上部はねじ部材４８に接続されている（図２４参照）。
【００６７】
ねじ部材４８は、図３０（Ａ）〜（Ｇ）に示す構造を有し、ボトル４１の口部４４の外側面に設けられた雄ねじ（図示していない）に螺着する雌ねじ（図示していない）が円筒状の側壁部４９の内周面に設けられている。また、ねじ部材４８は、管４７が下方から内側に挿入接続される接続部５０を側壁部４９の内側に有し、ボトル４１内に収容された液状洗剤等の収容対象が管４７を経て接続部５０内に至ると、その収容対象を側壁部４９の前方に延びる導出部５１から前方に導出するように構成されている。
【００６８】
そして、ねじ部材４８は、図２４、図３１（Ａ）〜（Ｇ）に示すキャップ５２に装着される。すなわち、図３１（Ｄ）、（Ｇ）に示すように、キャップ５２の天壁５３の下面には、ねじ部材４８のフランジ４９ａ（図３０参照）に係止する係止爪５４ａを有する略円弧状の垂下壁５４が設けられている。また、天壁５３から垂下する側壁５５の前部には、ねじ部材４８の導出部５１を挿通させる挿通孔５５ａが形成されている。従って、ねじ部材４８をキャップ５２に装着するには、導出部５１を挿通孔５５ａに挿通させた状態で、フランジ４９ａを係止爪５４ａに係止させればよい。
【００６９】
また、キャップ５２の天壁５３には、背面側に向けて延びる突出部１０が設けられている。
【００７０】
そして、キャップ５２の挿通孔５５ａを挿通し、キャップ５５の外部に突出した状態の導出部５１には、図２４、図３２（Ａ）〜（Ｈ）に示すノズル部材５６が装着される。すなわち、図３０（Ａ）〜（Ｃ）、（Ｅ）〜（Ｇ）に示すように、導出部５１の外面には係合突起５１ａが設けられており、これに対して、図３２（Ｇ）及び（Ｈ）に示すように、ノズル部材５６の内壁には係合突起５１ａを係合可能な係合溝５７が形成されている。また、ノズル部材５６の後部には、キャップ５２の挿通孔５５ａに挿入される挿入部５８が設けられ、ノズル部材５６の前部下面には吐出口５６ａが形成されている。
【００７１】
上記の構成を有する収容体４０を組み立てるには、ボトル４１に溝形成部材４２を装着する一方、キャップ５２にねじ部材４８を装着し、ねじ部材４８に管４７を接続した状態で、管４７を口部４４からボトル４１内に挿入し、キャップ５２を回して口部４４の雄ねじにねじ部材４８の雌ねじを螺着させ、また、キャップ５２の挿通孔５５ａから外部に突出した状態の導出部５１に吐出部としてのノズル部材５６を装着すればよい。
【００７２】
このように組み立てられた収容体４０は、図２２、図２３、図２５〜図２７に示す状態となり、図２２に示すように、ボトル４１を側方（前方）から押圧するとこのボトル４１は弾性変形し、この弾性変形に伴ってボトル４１内の収容対象がノズル部材５６の吐出口５６ａから下向きに吐出されることになる。
【００７３】
そして、ボトル４１を前方から押圧して使用することにより、この前方からの押圧が吸盤１を壁面Ｗに対して押し付ける力ともなるので、壁面Ｗに対する吸盤１の吸着状態が良好に保たれることになる。
【００７４】
尚、本例では、収容体４０を構成する各部材のうち、ボトル４１はＥＶＡ樹脂（エチレン−酢酸ビニル共重合樹脂）等の柔軟性を有する樹脂に、これ以外の部材はＰＰ樹脂（ポリプロピレン樹脂）等の比重の軽い樹脂に、それぞれ防汚剤を混合添加した材料からなる。
【００７５】
なお、上記各実施形態において、各部材の材料や形状等の構成要素は適宜変更することができる。
【００７６】
例えば、収容具Ｄ１〜Ｄ４は、上述のようにシンクＳに取り付けての使用に好適なものであるが、略上下方向に延びる壁面Ｗとこの壁面Ｗの上端に水平部分が連なっているような場所であれば取り付けて使用することができ、シンクＳでのみの使用に限られるものではない。
【００７７】
また、上記各実施の形態では、突出部１０は収容体１０，２０，３０，４０の背面の上端に設けられているが、これに限られず、突出部１０は、嵌着溝５よりも上側において収容体１０，２０，３０，４０の背面側に突出するように設けられていればよい。
【００７８】
また、上記各実施の形態における取付基部４及び嵌着溝５を、あり及びあり溝によって構成してもよい。
【００７９】
また、第２実施形態の底板２２は本体ケース２１と一体成形されていてもよく、同様に、第４実施形態の収容体４０を構成する部材を適宜に一体成形してもよい。例えば、ねじ部材４８に管４７やキャップ５２が一体成形されていてもよい。
【符号の説明】
【００８０】
１    吸盤
２    収容体
３    吸着部
４    取付基部
５    嵌着溝
７    ガイド溝
１０    突出部
【図１】
0005459802.tif 000002
【図２】
0005459802.tif 000003
【図３】
0005459802.tif 000004
【図４】
0005459802.tif 000005
【図５】
0005459802.tif 000006
【図６】
0005459802.tif 000007
【図７】
0005459802.tif 000008
【図８】
0005459802.tif 000009
【図９】
0005459802.tif 000010
【図１０】
0005459802.tif 000011
【図１１】
0005459802.tif 000012
【図１２】
0005459802.tif 000013
【図１３】
0005459802.tif 000014
【図１４】
0005459802.tif 000015
【図１５】
0005459802.tif 000016
【図１６】
0005459802.tif 000017
【図１７】
0005459802.tif 000018
【図１８】
0005459802.tif 000019
【図１９】
0005459802.tif 000020
【図２０】
0005459802.tif 000021
【図２１】
0005459802.tif 000022
【図２２】
0005459802.tif 000023
【図２３】
0005459802.tif 000024
【図２４】
0005459802.tif 000025
【図２５】
0005459802.tif 000026
【図２６】
0005459802.tif 000027
【図２７】
0005459802.tif 000028
【図２８】
0005459802.tif 000029
【図２９】
0005459802.tif 000030
【図３０】
0005459802.tif 000031
【図３１】
0005459802.tif 000032
【図３２】
0005459802.tif 000033